(57)【要約】【課題】クリップ処理とＯＯＴＦ処理が行われる場合にも高画質な表示画像を得ることを可能にする技術を提供する。【解決手段】本発明の画像処理方法は、入力画像データの輝度レンジである第１レンジに関する第１情報を取得する第１取得ステップと、表示対象の輝度レンジである第２レンジに関する第２情報を取得する第２取得ステップと、第２情報に基づいて、入力画像データの輝度レンジを表示輝度レンジと等しい輝度レンジに変換する第１変換処理を行うことで、第１変換画像データを生成する第１変換ステップと、第１情報と第２情報に基づいて、第１変換画像データの輝度を変換する第２変換処理を行うことで、第２変換画像データを生成する第２変換ステップと、を有し、第２変換ステップでは、第２レンジの最大輝度が低いほど大きい低下量で第１変換画像データの輝度が低減されるように、第２変換処理が行われる。【選択図】図２
2019080156.tif 000002
【特許請求の範囲】
【請求項１】
入力画像データの輝度レンジである第１レンジに関する第１情報を取得する第１取得ステップと、
表示対象の輝度レンジである第２レンジに関する第２情報を取得する第２取得ステップと、
前記第２情報に基づいて、前記入力画像データの輝度レンジを表示輝度レンジと等しい輝度レンジに変換する第１変換処理を行うことで、第１変換画像データを生成する第１変換ステップと、
前記第１情報と前記第２情報に基づいて、前記第１変換画像データの輝度を変換する第２変換処理を行うことで、第２変換画像データを生成する第２変換ステップと、
を有し、
前記第２変換ステップでは、前記第２レンジの最大輝度が低いほど大きい低下量で前記第１変換画像データの輝度が低減されるように、前記第２変換処理が行われる
ことを特徴とする画像処理方法。
【請求項２】
前記第２変換ステップでは、前記第２レンジの最大輝度に対する前記第１レンジの最大輝度の比率が大きいほど大きい低下量で前記第１変換画像データの輝度が低減されるように、前記第２変換処理が行われる
ことを特徴とする請求項１に記載の画像処理方法。
【請求項３】
前記第２変換ステップでは、前記比率に表示輝度の上限を乗算して得られる輝度が高いほど大きい低下量で前記第１変換画像データの輝度が低減されるように、前記第２変換処理が行われる
ことを特徴とする請求項２に記載の画像処理方法。
【請求項４】
前記第２変換ステップでは、
前記比率に前記表示輝度の前記上限を乗算して得られる前記輝度である輝度Ｌｗから、以下の式に応じたガンマ値γが決定され、
γ＝１．２＋０．４２ＬＯＧ１０（Ｌｗ／１０００）
前記第２変換処理として、前記ガンマ値γを用いたガンマ変換処理が行われる
ことを特徴とする請求項３に記載の画像処理方法。
【請求項５】
前記表示輝度の前記上限に関する第３情報を取得する第３取得ステップ、をさらに有する
ことを特徴とする請求項３または４に記載の画像処理方法。
【請求項６】
前記第２変換ステップでは、前記第２レンジに含まれるように設定された輝度に対応する前記第２変換処理が省略される場合の表示輝度が高いほど大きい低下量で前記第１変換画像データの輝度が低減されるように、前記第２変換処理が行われる
ことを特徴とする請求項１に記載の画像処理方法。
【請求項７】
前記第２変換処理は、前記第１情報と前記第２情報に基づくパラメータを用いた画像処理であり、
前記画像処理方法は、前記パラメータを表示手段に表示する第１表示ステップ、をさらに有する
ことを特徴とする請求項１〜６のいずれか１項に記載の画像処理方法。
【請求項８】
前記第２変換処理は、前記第１情報と前記第２情報に基づくパラメータを用いた画像処理であり、
前記画像処理方法は、前記パラメータを出力する出力ステップ、をさらに有する
ことを特徴とする請求項１〜７のいずれか１項に記載の画像処理方法。
【請求項９】
前記第２レンジは、前記第１レンジの一部である
ことを特徴とする請求項１〜８のいずれか１項に記載の画像処理方法。
【請求項１０】
前記入力画像データを、階調値の増加に対して輝度が線形に増加する第３変換画像データに変換する第３変換ステップ、をさらに有し、
前記第１変換処理は、前記第３変換画像データの輝度レンジを前記表示輝度レンジと等しい輝度レンジに変換する画像処理である
ことを特徴とする請求項１〜９のいずれか１項に記載の画像処理方法。
【請求項１１】
前記第１変換画像データでは、前記第２レンジの最小輝度から最大輝度までの輝度の増加に対して階調値が下限から上限まで線形に増加し、前記表示レンジの最大輝度よりも高い輝度に対して階調値の上限が対応付けられている
ことを特徴とする請求項１０に記載の画像処理方法。
【請求項１２】
前記第２取得ステップでは、ユーザによって指定された情報が前記第２情報として取得される
ことを特徴とする請求項１〜１１のいずれか１項に記載の画像処理方法。
【請求項１３】
前記第２変換画像データに基づく画像を表示手段に表示する第２表示ステップ、をさらに有する
ことを特徴とする請求項１〜１２のいずれか１項に記載の画像処理方法。
【請求項１４】
前記入力画像データはＨＬＧ（Ｈｙｂｒｉｄ  Ｌｏｇ−Ｇａｍｍａ）方式の階調特性を有する画像データである
ことを特徴とする請求項１〜１３のいずれか１項に記載の画像処理方法。
【請求項１５】
入力画像データの輝度レンジである第１レンジに関する第１情報を取得する第１取得ステップと、
表示対象の輝度レンジである第２レンジに関する第２情報を取得する第２取得ステップと、
前記第１情報と前記第２情報に基づいて、前記入力画像データの輝度を変換する変換処理を行うことで、第１変換画像データを生成する第１変換ステップと、
を有し、
前記第１変換ステップでは、前記第２レンジの最大輝度が低いほど大きい低下量で前記入力画像データの輝度が低減されるように、前記変換処理が行われる
ことを特徴とする画像処理方法。
【請求項１６】
前記第１変換画像データを、ＰＱ（Ｐｅｒｃｅｐｔｕａｌ  Ｑｕａｎｔｉｚｅｒ）方式の階調特性を有する第２変換画像データに変換する第２変換ステップ、をさらに有する
ことを特徴とする請求項１５に記載の画像処理方法。
【請求項１７】
入力画像データの輝度レンジである第１レンジに関する第１情報を取得する第１取得手段と、
表示対象の輝度レンジである第２レンジに関する第２情報を取得する第２取得手段と、
前記第２情報に基づいて、前記入力画像データの輝度レンジを表示輝度レンジと等しい輝度レンジに変換する第１変換処理を行うことで、第１変換画像データを生成する第１変換手段と、
前記第１情報と前記第２情報に基づいて、前記第１変換画像データの輝度を変換する第２変換処理を行うことで、第２変換画像データを生成する第２変換手段と、
を有し、
前記第２変換手段は、前記第２レンジの最大輝度が低いほど大きい低下量で前記第１変換画像データの輝度が低減されるように、前記第２変換処理が行われる
ことを特徴とする画像処理装置。
【請求項１８】
入力画像データの輝度レンジである第１レンジに関する第１情報を取得する第１取得手段と、
表示対象の輝度レンジである第２レンジに関する第２情報を取得する第２取得手段と、
前記第１情報と前記第２情報に基づいて、前記入力画像データの輝度を変換する変換処理を行うことで、変換画像データを生成する変換手段と、
を有し、
前記変換手段は、前記第２レンジの最大輝度が低いほど大きい低下量で前記入力画像データの輝度が低減されるように、前記変換処理が行われる
ことを特徴とする画像処理装置。
【請求項１９】
請求項１〜１６のいずれか１項に記載の画像処理方法の各ステップをコンピュータに実行させるためのプログラム。
【発明の詳細な説明】
【技術分野】
【０００１】
本発明は、画像処理方法および画像処理装置に関する。
【背景技術】
【０００２】
近年、撮像装置の受光性能の向上に伴い、一般的なビデオガンマとして用いられるＢＴ．７０９のダイナミックレンジ（輝度レンジ）よりも広いダイナミックレンジを有する撮影画像データが生成されるようになってきている。広いダイナミックレンジは「ＨＤＲ（Ｈｉｇｈ  Ｄｙｎａｍｉｃ  Ｒａｎｇｅ）」などとも呼ばれ、ＨＤＲを有する画像データは「ＨＤＲ画像データ」などとも呼ばれる。一方で、ＢＴ．７０９のダイナミックレンジなどは「ＳＤＲ（Ｓｔａｎｄａｒｄ  Ｄｙｎａｍｉｃ  Ｒａｎｇｅ）」などとも呼ばれ、ＳＤＲを有する画像データは「ＳＤＲ画像データ」などとも呼ばれる。ＨＤＲ画像データのデータフォーマットとして、例えば、ダイナミックレンジが広いフィルムの特性に基づいて定められたＣｉｎｅｏｎ  Ｌｏｇが提案されている。
【０００３】
ここで、撮影画像データがＳＤＲ画像データであり、且つ、当該ＳＤＲ画像データに基づく画像を表示する場合を考える。この場合には、一般的に、撮像装置のガンマ値が約０．５であり且つ表示装置のガンマ値が約２．４であるため、撮像装置の入射光（被写体光）と表示装置の出射光（画面光）との対応関係は非線形である。具体的には、上記対応関係は、横軸が被写体光の輝度を示し且つ縦軸が画面光の輝度を示すグラフにおいて下に凸の特性を有する。被写体光から画面光への変換などのような光変換の関数は、「ＯＯＴＦ（Ｏｐｔｏ−Ｏｐｔｉｃａｌ  Ｔｒａｎｓｆｅｒ  Ｆｕｎｃｔｉｏｎ）」などとも呼ばれる。
【０００４】
ＨＤＲの様々な方式が提案されており、ＨＤＲの様々な方式においてＯＯＴＦ処理が行われる。ＯＯＴＦ処理は、ＯＯＴＦを用いた画像処理であり、「システムガンマ処理」などとも呼ばれる。例えば、ＩＴＵ−Ｒ（Ｒａｄｉｏｃｏｍｍｕｎｉｃａｔｉｏｎ  Ｓｅｃｔｏｒ  ｏｆ  ＩＴＵ）  ＢＴ．２１００では、ＨＤＲの方式として、ＨＬＧ（Ｈｙｂｒｉｄ  Ｌｏｇ−Ｇａｍｍａ）方式が規定されている。ＨＬＧ方式のＯＯＴＦ処理は、以下の式１により得られるガンマ値γを用いたガンマ変換処理である。ガンマ値γは「システムガンマ」などとも呼ばれる。式１において、「Ｌｗ」は、表示装置の表示輝度（画面の輝度；画面光の輝度）の上限である。そのため、ＨＬＧ方式では、上限表示輝度（表示輝度の上限）Ｌｗが高いほど大きい低下量でデータ輝度（画像データの輝度）を低減するガンマ変換処理が、ＯＯＴＦ処理として行われる。データ輝度は、「画像データで想定されている輝度」とも言える。
γ＝１．２＋０．４２ＬＯＧ１０（Ｌｗ／１０００）  ・・・（式１）
【０００５】
表示装置では、消費電力の増加、部品の発熱による信頼性の低下、等への懸念がある。そのため、表示輝度レンジ（表示輝度の下限から上限までの輝度レンジ）が画像データのダイナミックレンジ（データ輝度レンジ）よりも狭いことがある。表示輝度レンジが画像データのダイナミックレンジよりも狭い場合の表示方法は、例えば、特許文献１に開示されている。特許文献１に開示の表示方法では、ユーザからの指示に応じた圧縮パラメータを用いて画像データのダイナミックレンジが表示輝度レンジに圧縮される。他の方法として、表示輝度レンジに対応するデータ輝度を変換せずに、上限表示輝度Ｌｗよりも高いデータ輝度を上限表示輝度Ｌｗに変換する方法がある（クリップ処理）。画像データのダイナミックレンジ全体を圧縮する方法もある（圧縮処理）。クリップ処理が行われる場合に
は、圧縮処理が行われる場合の表示輝度よりも高い表示輝度で画像が表示される。
【先行技術文献】
【特許文献】
【０００６】
【特許文献１】特開２００４−２２０４３８号公報
【発明の概要】
【発明が解決しようとする課題】
【０００７】
しかしながら、従来技術では、クリップ処理とＯＯＴＦ処理が行われる場合に高画質な表示画像（画面に表示された画像）が得られないことがある。具体的には、上述したように、クリップ処理が行われる場合には、圧縮処理が行われる場合の表示輝度よりも高い表示輝度で画像が表示される。そして、上限表示輝度Ｌｗはクリップ処理、圧縮処理、等の画像処理に依存しないため、クリップ処理が行われる場合に、圧縮処理が行われる場合のＯＯＴＦ処理と同じＯＯＴＦ処理が行われる。そのため、クリップ処理が行われる場合に、必要以上に高い表示輝度で画像が表示されることがある。そして、低輝度側から中間輝度までのデータ輝度レンジに対応する画像エリアが必要以上に高い表示輝度で表示されることがあり、表示画像のコントラスト感が低下することがある。
【０００８】
本発明は、クリップ処理とＯＯＴＦ処理が行われる場合にも高画質な表示画像を得ることを可能にする技術を提供することを目的とする。
【課題を解決するための手段】
【０００９】
本発明の第１の態様は、
入力画像データの輝度レンジである第１レンジに関する第１情報を取得する第１取得ステップと、
表示対象の輝度レンジである第２レンジに関する第２情報を取得する第２取得ステップと、
前記第２情報に基づいて、前記入力画像データの輝度レンジを表示輝度レンジと等しい輝度レンジに変換する第１変換処理を行うことで、第１変換画像データを生成する第１変換ステップと、
前記第１情報と前記第２情報に基づいて、前記第１変換画像データの輝度を変換する第２変換処理を行うことで、第２変換画像データを生成する第２変換ステップと、
を有し、
前記第２変換ステップでは、前記第２レンジの最大輝度が低いほど大きい低下量で前記第１変換画像データの輝度が低減されるように、前記第２変換処理が行われる
ことを特徴とする画像処理方法である。
【００１０】
本発明の第２の態様は、
入力画像データの輝度レンジである第１レンジに関する第１情報を取得する第１取得ステップと、
表示対象の輝度レンジである第２レンジに関する第２情報を取得する第２取得ステップと、
前記第１情報と前記第２情報に基づいて、前記入力画像データの輝度を変換する変換処理を行うことで、第１変換画像データを生成する第１変換ステップと、
を有し、
前記第１変換ステップでは、前記第２レンジの最大輝度が低いほど大きい低下量で前記入力画像データの輝度が低減されるように、前記変換処理が行われる
ことを特徴とする画像処理方法である。
【００１１】
本発明の第３の態様は、
入力画像データの輝度レンジである第１レンジに関する第１情報を取得する第１取得手段と、
表示対象の輝度レンジである第２レンジに関する第２情報を取得する第２取得手段と、
前記第２情報に基づいて、前記入力画像データの輝度レンジを表示輝度レンジと等しい輝度レンジに変換する第１変換処理を行うことで、第１変換画像データを生成する第１変換手段と、
前記第１情報と前記第２情報に基づいて、前記第１変換画像データの輝度を変換する第２変換処理を行うことで、第２変換画像データを生成する第２変換手段と、
を有し、
前記第２変換手段は、前記第２レンジの最大輝度が低いほど大きい低下量で前記第１変換画像データの輝度が低減されるように、前記第２変換処理が行われる
ことを特徴とする画像処理装置である。
【００１２】
本発明の第４の態様は、
入力画像データの輝度レンジである第１レンジに関する第１情報を取得する第１取得手段と、
表示対象の輝度レンジである第２レンジに関する第２情報を取得する第２取得手段と、
前記第１情報と前記第２情報に基づいて、前記入力画像データの輝度を変換する変換処理を行うことで、変換画像データを生成する変換手段と、
を有し、
前記変換手段は、前記第２レンジの最大輝度が低いほど大きい低下量で前記入力画像データの輝度が低減されるように、前記変換処理が行われる
ことを特徴とする画像処理装置である。
【００１３】
本発明の第５の態様は、上述した画像処理方法の各ステップをコンピュータに実行させるためのプログラムである。
【発明の効果】
【００１４】
本発明によれば、クリップ処理とＯＯＴＦ処理が行われる場合にも高画質な表示画像を得ることが可能となる。
【図面の簡単な説明】
【００１５】
【図１】実施例１に係るＨＬＧ方式における光変換の一例
【図２】実施例１に係る表示装置の構成例
【図３】実施例１に係る入力画像データの階調特性の一例
【図４】実施例１に係る線形画像データの階調特性の一例
【図５】実施例１に係るレンジ変換画像データの階調特性の一例
【図６】実施例１に係る表示特性の一例
【図７】実施例１に係る輝度ＨＲａｎｇｅ，ＰｅａｋＬｕｍ＿２の対応関係の一例
【図８】実施例１に係る輝度ＨＲａｎｇｅとガンマ値γの対応関係の一例
【図９】実施例１に係るＯＯＴＦ処理の変換特性の一例
【図１０】実施例１の効果の一例
【図１１】実施例２に係るＰＱ方式における光変換の一例
【図１２】実施例２に係る表示システムの構成例
【発明を実施するための形態】
【００１６】
＜実施例１＞
以下、本発明の実施例１について説明する。ＨＤＲ（Ｈｉｇｈ  Ｄｙｎａｍｉｃ  Ｒａｎｇｅ）の方式は特に限定されないが、本実施例では、ＩＴＵ−Ｒ（Ｒａｄｉｏｃｏｍｍｕｎｉｃａｔｉｏｎ  Ｓｅｃｔｏｒ  ｏｆ  ＩＴＵ）  ＢＴ．２１００で規定されたＨＬ
Ｇ（Ｈｙｂｒｉｄ  Ｌｏｇ−Ｇａｍｍａ）方式の例を説明する。ＨＤＲは、一般的なビデオガンマとして用いられるＢＴ．７０９のダイナミックレンジ（輝度レンジ）などよりも広いダイナミックレンジである。
【００１７】
図１は、ＨＬＧ方式における光変換の一例を示す。図１に示すように、ＨＬＧ方式では、シーン輝度（被写体の輝度）が階調値に変換される（ＯＥＴＦ（Ｏｐｔｏ−Ｅｌｅｃｔｒｏｎｉｃ  Ｔｒａｎｓｆｅｒ  Ｆｕｎｃｔｉｏｎ）処理）。次に、階調値がシーン輝度に戻される（Ｉｎｖｅｒｓｅ  ＯＥＴＦ処理）。そして、シーン輝度が表示輝度（画面の輝度）に変換される（ＯＯＴＦ（Ｏｐｔｏ−Ｏｐｔｉｃａｌ  Ｔｒａｎｓｆｅｒ  Ｆｕｎｃｔｉｏｎ）処理）。ＯＥＴＦ処理は撮像装置で行われ、Ｉｎｖｅｒｓｅ  ＯＥＴＦ処理とＯＯＴＦ処理は表示装置で行われる。
【００１８】
図２は、本実施例に係る表示装置１００の構成例を示すブロック図である。表示装置１００は、画像処理部１０１、表示部１０２、ダイナミックレンジ取得部１０３、及び、表示レンジ取得部１０４を有する。画像処理部１０１は、線形変換部１０５、レンジ変換部１０６、及び、ＯＯＴＦ変換部１０７を有する。
【００１９】
画像処理部１０１は、入力画像データ（表示装置１００に入力された画像データ）に画像処理を施し、表示部１０２は、画像処理後の画像データに基づく画像を画面に表示する。表示部１０２として、例えば、発光部と、発光部から発せられた光を画像データに基づいて透過する透過型表示パネルとの組み合わせを使用できる。透過型表示パネルとして、液晶パネル、ＭＥＭＳ（Ｍｉｃｒｏ  Ｅｌｅｃｔｒｏ  Ｍｅｃｈａｎｉｃａｌ  Ｓｙｓｔｅｍ）シャッター方式表示パネル、等を使用できる。発光部は、「バックライトユニット」とも言える。表示部１０２として、有機ＥＬ（Ｅｌｅｃｔｒｏ  Ｌｕｍｉｎｅｓｃｅｎｃｅ）表示パネル、プラズマ表示パネル、等の自発光型表示パネルも使用できる。上限表示輝度（表示輝度の上限）は特に限定されないが、本実施例では、上限表示輝度は５００ｃｄ／ｍ２である。入力画像データのデータフォーマットは特に限定されないが、本実施例では、入力画像データがＨＬＧ方式の階調特性を有する。具体的には、本実施例では、入力画像データは、図１のＯＥＴＦ処理によって得られた画像データである。
【００２０】
本実施例では、入力画像データは図３の階調特性を有する。図３の横軸は画像データの輝度（データ輝度）を示し、図３の縦軸は画像データの階調値（Ｒ値、Ｇ値、Ｂ値、Ｙ値、等）を示す。図３の階調特性では、データ輝度の増加に対し階調値が対数的に増加する。データ輝度は、「画像データで想定されている輝度」とも言える。図３のデータ輝度は、光が物体で反射する際の反射率に対応する。環境光に照らされた受光物体の輝度は０〜１００％程度の反射率で表現され、それを超える輝度（照明装置、太陽、等の発光物体の輝度）は１００％よりも高い反射率で表現されることが多い。本実施例では、入力画像データのダイナミックレンジは、データ輝度（反射率）０％以上かつデータ輝度１０００％以下の輝度レンジ（データ輝度レンジ）であり、入力画像データの階調値は、１０ビットの値（０〜１０２３）である。なお、データ輝度として反射率とは異なる値が使用されてもよい。
【００２１】
ダイナミックレンジ取得部１０３は、入力画像データのダイナミックレンジに関するダイナミックレンジ情報を取得する。本実施例では、ダイナミックレンジ取得部１０３は、表示装置１００の表示設定に応じたダイナミックレンジ情報を取得する。具体的には、複数の表示設定にそれぞれ対応する複数のダイナミックレンジ情報が予め定められており、ダイナミックレンジ取得部１０３は、現在の表示設定に対応するダイナミックレンジ情報を複数のダイナミックレンジ情報から取得する。例えば、ＢＴ．７０９に対応する表示設定の場合には、ダイナミックレンジ取得部１０３は、データ輝度０％以上かつデータ輝度１００％以下のダイナミックレンジを示すダイナミックレンジ情報を取得する。ＨＤＲに
対応する表示設定の場合には、ダイナミックレンジ取得部１０３は、データ輝度０％以上かつデータ輝度１００％以下のダイナミックレンジよりも広いダイナミックレンジを示すダイナミックレンジ情報を取得する。表示設定は、自動または手動で行われる。上述したように、本実施例では、入力画像データのダイナミックレンジは、データ輝度０％以上かつデータ輝度１０００％以下のデータ輝度レンジである。そして、ダイナミックレンジ取得部１０３は、データ輝度０％以上かつデータ輝度１０００％以下のダイナミックレンジを示すダイナミックレンジ情報を取得する。
【００２２】
なお、ダイナミックレンジ情報の取得方法は特に限定されない。例えば、入力画像データを解析することでダイナミックレンジ情報が取得されてもよい。入力画像データのメタデータにダイナミックレンジ情報が含まれている場合には、入力画像データのメタデータからダイナミックレンジ情報が取得されてもよい。
【００２３】
表示レンジ取得部１０４は、表示対象のデータ輝度レンジである表示レンジに関する表示レンジ情報を取得する。表示レンジは、「階調性を持たせた表示を行うデータ輝度レンジ」とも言える。本実施例では、表示レンジ取得部１０４は、ユーザによって指定された情報を表示レンジ情報として取得する。具体的には、表示レンジ取得部１０４は、表示レンジを指定するユーザ操作に応じて、指定された表示レンジを示す表示レンジ情報を取得（生成）する。表示レンジは特に限定されないが、本実施例では、表示レンジは、入力画像データのダイナミックレンジの一部または全部である。なお、表示レンジ情報の取得方法は特に限定されない。例えば、表示レンジ情報は、入力画像データ、表示装置１００の使用環境、等に応じて自動で取得されてもよい。
【００２４】
線形変換部１０５は、入力画像データを、階調値の増加に対してデータ輝度が線形に増加する線形画像データに変換する。即ち、線形変換部１０５は、入力画像データの階調特性を、階調値の増加に対してデータ輝度が線形に増加する階調特性（図４）に変換する。入力画像データから線形画像データへの変換は、画像データの階調値を変換する画像処理（階調変換処理；線形変換処理）によって実現される。線形変換処理は、図１のＩｎｖｅｒｓｅ  ＯＥＴＦ処理に対応する。なお、表示装置１００（画像処理部１０１）は線形変換部１０５を有していなくてもよい。
【００２５】
レンジ変換部１０６は、表示レンジ取得部１０４によって取得された表示レンジ情報に基づいて、線形変換部１０５によって生成された線形画像データを、レンジ変換画像データに変換する。具体的には、レンジ変換部１０６は、線形画像データのダイナミックレンジ（入力画像データのダイナミックレンジ）を表示輝度レンジと等しいダイナミックレンジに変換する画像処理（階調変換処理；レンジ変換処理）を行う。それにより、レンジ変換画像データが生成される。表示輝度レンジは、表示輝度の下限から上限までの輝度レンジである。なお、図２に示すように、レンジ変換部１０６は、ダイナミックレンジ取得部１０３からダイナミックレンジ情報を取得して使用してもよい。
【００２６】
レンジ変換処理について図５を用いて詳細に説明する。図５は、レンジ変換画像データの階調特性の一例を示す。
【００２７】
本実施例では、レンジ変換部１０６は、以下の式２を用いて、線形画像データの階調値ＩｎｐｕｔＬｅｖｅｌ＿１をレンジ変換画像データの階調値ＯｕｔｐｕｔＬｅｖｅｌ＿１に変換する。但し、１０２３よりも大きい階調値ＯｕｔｐｕｔＬｅｖｅｌ＿１が式２で得られた（算出された）場合には、階調値ＯｕｔｐｕｔＬｅｖｅｌ＿１として１０２３が設定される。式２において、「ＤＲａｎｇｅ」は、入力画像データのダイナミックレンジの最大輝度（最大データ輝度）であり、「ＨＲａｎｇｅ」は、表示レンジの最大データ輝度である。
ＯｕｔｐｕｔＬｅｖｅｌ＿１＝
（ＤＲａｎｇｅ÷ＨＲａｎｇｅ）×ＩｎｐｕｔＬｅｖｅｌ＿１  ・・・（式２）
【００２８】
レンジ変換処理により、表示レンジがデータ輝度０％以上かつデータ輝度５００％以下のデータ輝度レンジである場合には、図５の階調特性５０１を有するレンジ変換画像データが生成される。階調特性５０１では、表示レンジの最小輝度（最小データ輝度）０％から最大データ輝度５００％までのデータ輝度の増加に対して階調値が下限０から上限１０２３まで線形に増加する。そして、表示レンジの最大データ輝度５００％よりも高いデータ輝度に対して階調値の上限１０２３が対応付けられている。一方で、表示レンジがデータ輝度０％以上かつデータ輝度１０００％以下のデータ輝度レンジである場合には、図５の階調特性５０２を有するレンジ変換画像データが生成される。階調特性５０２では、表示レンジの最小データ輝度０％から最大データ輝度１０００％までのデータ輝度の増加に対して階調値が下限０から上限１０２３まで線形に増加する。
【００２９】
図６は、ＯＯＴＦ変換部１０７の画像処理が省略される場合の表示特性の一例を示す。図６の横軸はデータ輝度を示し、図６の縦軸は表示輝度を示す。
【００３０】
表示レンジがデータ輝度０％以上かつデータ輝度５００％以下のデータ輝度レンジである場合には、図５の階調特性５０１に従い、図６の表示特性６０１で画像が表示される。表示特性６０１では、表示レンジの最小データ輝度０％から最大データ輝度５００％までのデータ輝度の増加に対して表示輝度が下限０ｃｄ／ｍ２から上限５００ｃｄ／ｍ２まで線形に増加する。即ち、表示レンジ（０％〜５００％）については、階調性を持たせた表示が行われる。そして、表示レンジの最大データ輝度５００％よりも高いデータ輝度は上限表示輝度５００ｃｄ／ｍ２で表示される。即ち、表示レンジの最大データ輝度５００％よりも高いデータ輝度レンジについては、階調性を持たせない表示が行われる。
【００３１】
一方で、表示レンジがデータ輝度０％以上かつデータ輝度１０００％以下のデータ輝度レンジである場合には、図５の階調特性５０２に従い、図６の表示特性６０２で画像が表示される。表示特性６０２では、表示レンジの最小データ輝度０％から最大データ輝度１０００％までのデータ輝度の増加に対して表示輝度が下限０ｃｄ／ｍ２から上限５００ｃｄ／ｍ２まで線形に増加する。表示特性６０２の場合には、階調性を持たせない表示が行われないため、入力画像データのダイナミックレンジ全体の階調性が表示特性６０１の場合よりも確認しやすい。但し、表示特性６０１の場合には、階調性を持たせた表示が行われるデータ輝度レンジの階調性が表示特性６０２の場合よりも確認しやすい。
【００３２】
本実施例では、データ輝度Ｘ％が絶対輝度Ｘｃｄ／ｍ２に対応するとする。図６から、レンジ変換処理により、線形画像データのダイナミックレンジ（０％〜１０００％）が表示輝度レンジと等しいダイナミックレンジ（０ｃｄ／ｍ２〜５００ｃｄ／ｍ２）に変換されることがわかる。表示レンジの最大データ輝度が入力画像データの最大データ輝度よりも低い場合のレンジ変換処理、すなわち表示特性６０１のような表示特性を実現するレンジ変換処理は、「クリップ処理」とも言える。一方で、表示レンジの最大データ輝度が入力画像データの最大データ輝度と等しい場合のレンジ変換処理、すなわち表示特性６０２を実現するレンジ変換処理は、「圧縮処理」とも言える。図６から、クリップ処理が行われる場合には、圧縮処理が行われる場合の表示輝度よりも高い表示輝度で画像が表示されることもわかる。
【００３３】
ＯＯＴＦ変換部１０７は、レンジ変換部１０６によって生成されたレンジ変換画像データのデータ輝度を変換する画像処理（階調変換処理）を行うことで、表示画像データを生
成する。本実施例では、ＯＯＴＦ変換部１０７はダイナミックレンジ取得部１０３によって取得されたダイナミックレンジ情報と、表示レンジ取得部１０４によって取得された表示レンジ情報とに基づいて、レンジ変換画像データを表示画像データに変換する。ＯＯＴＦ変換部１０７の階調変換処理は、図１のＯＯＴＦ処理に対応する。表示画像データは表示部１０２に入力され、表示部１０２は表示画像データに基づく画像を画面に表示する。なお、ＯＯＴＦ処理は、Ｒ値、Ｇ値、及び、Ｂ値のそれぞれを個別に変換する階調変換処理であってもよいし、Ｙ値を変換する階調変換処理であってもよい。
【００３４】
ＯＯＴＦ変換部１０７の処理について詳細に説明する。
【００３５】
まず、ＯＯＴＦ変換部１０７は、以下の式３を用いて輝度ＰｅａｋＬｕｍ＿２を得る（図６）。式３において、「ＰｅａｋＬｕｍ＿１」は、実際の上限表示輝度であり、本実施例では５００ｃｄ／ｍ２である。輝度ＰｅａｋＬｕｍ＿２は「理想的な上限表示輝度」とも言える。式３によれば、輝度ＰｅａｋＬｕｍ＿２は、表示レンジの最大データ輝度ＨＲａｎｇｅに対する入力画像データのダイナミックレンジの最大データ輝度ＤＲａｎｇｅの比率に上限表示輝度ＰｅａｋＬｕｍ＿１を乗算した輝度である。上限表示輝度ＰｅａｋＬｕｍ＿１の数値は、予めプログラムなどに記述されていてもよいし、そうでなくてもよい。例えば、表示装置１００は、上限表示輝度ＰｅａｋＬｕｍ＿１に関する表示輝度情報を記憶する記憶部を有していてもよい。そして、ＯＯＴＦ変換部１０７は、記憶部から表示輝度情報を取得してもよい。
ＰｅａｋＬｕｍ＿２＝ＤＲａｎｇｅ÷ＨＲａｎｇｅ×ＰｅａｋＬｕｍ＿１
・・・（式３）
【００３６】
図７は、最大データ輝度ＨＲａｎｇｅと輝度ＰｅａｋＬｕｍ＿２との対応関係の一例を示す。図７は、最大データ輝度ＤＲａｎｇｅが固定である場合の例を示す。上限表示輝度ＰｅａｋＬｕｍ＿１は固定である。図７から、最大データ輝度ＨＲａｎｇｅが低いほど輝度ＰｅａｋＬｕｍ＿２が高いことがわかる。式３によれば、最大データ輝度ＨＲａｎｇｅに対する最大データ輝度ＤＲａｎｇｅの比率が大きいほど高い輝度ＰｅａｋＬｕｍ＿２が得られる。
【００３７】
次に、ＯＯＴＦ変換部１０７は、以下の式４を用いてガンマ値γを得る。ＨＬＧ方式のＯＯＴＦ処理はガンマ変換処理であり、式４は、ＨＬＧ方式のＯＯＴＦ処理で用いられるガンマ値を得るために規定された式と略等しい。従来は輝度Ｌｗとして上限表示輝度ＰｅａｋＬｕｍ＿１が使用されていたが、本実施例では輝度Ｌｗとして輝度ＰｅａｋＬｕｍ＿２が使用される。
γ＝１．２＋０．４２ＬＯＧ１０（Ｌｗ／１０００）  ・・・（式４）
【００３８】
図８は、最大データ輝度ＨＲａｎｇｅとガンマ値γとの対応関係の一例を示す。図８は、最大データ輝度ＤＲａｎｇｅが固定である場合の例を示す。図８から、最大データ輝度ＨＲａｎｇｅが低いほどガンマ値γが大きいことがわかる。式４によれば、輝度Ｌｗ＝ＰｅａｋＬｕｍ＿２が高いほど大きいガンマ値γが得られる。上述したように、最大データ輝度ＨＲａｎｇｅに対する最大データ輝度ＤＲａｎｇｅの比率が大きいほど高い輝度ＰｅａｋＬｕｍ＿２が得られる。そのため、最大データ輝度ＨＲａｎｇｅに対する最大データ輝度ＤＲａｎｇｅの比率が大きいほど大きいガンマ値γが得られる。
【００３９】
そして、ＯＯＴＦ変換部１０７は、以下の式５に示すように、ＯＯＴＦ処理として、ガ
ンマ値γを用いたガンマ変換処理を行う。式５において、「ＩｎｐｕｔＬｅｖｅｌ＿２」はレンジ変換画像データの階調値であり、「ＯｕｔｐｕｔＬｅｖｅｌ＿２」は表示画像データの階調値である。
ＯｕｔｐｕｔＤａｔａ＿２＝
（ＩｎｐｕｔＤａｔａ＿２÷１０２３）γ×１０２３  ・・・（式５）
【００４０】
図９は、ＯＯＴＦ処理の変換特性の一例を示す。図９の横軸はＯＯＴＦ処理の入力階調値（階調値ＩｎｐｕｔＬｅｖｅｌ＿２）を示し、図９の縦軸はＯＯＴＦ処理の出力階調値（階調値ＯｕｔｐｕｔＬｅｖｅｌ＿２）を示す。図９から、ＯＯＴＦ処理の変換特性が下に凸の特性であることがわかる。そして、ＯＯＴＦ処理の変換特性が、ガンマ値γが大きいほど大きく下に沈んだ特性であることもわかる。そのため、ＯＯＴＦ処理では、ガンマ値γが大きいほど大きい低下量でレンジ変換画像データのデータ輝度が低減される。
【００４１】
上述したように、輝度Ｌｗ＝ＰｅａｋＬｕｍ＿２が高いほどガンマ値γが大きい。そのため、ＯＯＴＦ処理では、輝度Ｌｗ＝ＰｅａｋＬｕｍ＿２が高いほど大きい低下量でレンジ変換画像データのデータ輝度が低減される。また、上述したように、最大データ輝度ＨＲａｎｇｅに対する最大データ輝度ＤＲａｎｇｅの比率が大きいほどガンマ値γが大きい。そのため、ＯＯＴＦ処理では、最大データ輝度ＨＲａｎｇｅに対する最大データ輝度ＤＲａｎｇｅの比率が大きいほど大きい低下量でレンジ変換画像データのデータ輝度が低減される。そして、上述したように、入力画像データのダイナミックレンジの最大データ輝度ＤＲａｎｇｅが固定である場合には、表示レンジの最大データ輝度ＨＲａｎｇｅが低いほどガンマ値γが大きい。そのため、最大データ輝度ＤＲａｎｇｅが固定である場合には、最大データ輝度ＨＲａｎｇｅが低いほど大きい低下量でレンジ変換画像データのデータ輝度が低減される。
【００４２】
本実施例では、ＯＯＴＦ処理において、レンジ変換画像データのデータ輝度の低下量が、表示レンジの最大データ輝度ＨＲａｎｇｅなどに基づいて制御される。これにより、クリップ処理とＯＯＴＦ処理が行われる場合にも高画質な表示画像を得ることができる。例えば、必要以上に高い表示輝度で画像が表示されることを抑制できる。そして、低輝度側から中間輝度までのデータ輝度レンジに対応する画像エリアが必要以上に高い表示輝度で表示されることを抑制でき、表示画像のコントラスト感が低下することを抑制できる。低輝度側から中間輝度までのデータ輝度レンジは特に限定されないが、本実施例では、低輝度側から中間輝度までのデータ輝度レンジが階調値０以上かつ階調値６４以下の階調レンジに対応するとする（図９）。
【００４３】
本実施例の効果について図１０を用いて詳細に説明する。図１０は、表示レンジと表示輝度の対応関係の一例を示す。図１０の横軸は表示レンジの最大データ輝度ＨＲａｎｇｅを示し、図１０の縦軸は表示輝度を示す。図１０は、入力画像データのダイナミックレンジの最大データ輝度ＤＲａｎｇｅが固定（０％〜１０００％）である場合の例を示す。図１０の対応関係１００１〜１００３は、入力画像データのデータ輝度１８％に対応する。対応関係１００１は、ＯＯＴＦ処理が省略される場合の対応関係を示す。対応関係１００２は、輝度Ｌｗとして上限表示輝度ＰｅａｋＬｕｍ＿１を用いたＯＯＴＦ処理が行われる場合の対応関係（従来例）を示す。そして、対応関係１００３は、輝度Ｌｗとして輝度ＰｅａｋＬｕｍ＿２を用いたＯＯＴＦ処理が行われる場合の対応関係（本実施例）を示す。
【００４４】
ＯＯＴＦ処理が省略される場合の対応関係１００１について説明する。上述したように、ＯＯＴＦ処理が省略され且つクリップ処理が行われる場合には、ＯＯＴＦ処理が省略され且つ圧縮処理が行われる場合の表示輝度よりも高い表示輝度で画像が表示される。そし
て、表示レンジの最大データ輝度ＨＲａｎｇｅの増加に伴い表示輝度が低下する。最大データ輝度ＨＲａｎｇｅ＝５００％の場合には、入力画像データのデータ輝度１８％は表示輝度１８ｃｄ／ｍ２で表示される。
【００４５】
輝度Ｌｗ＝ＰｅａｋＬｕｍ＿１のＯＯＴＦ処理が行われる場合の対応関係１００２（従来例）について説明する。輝度Ｌｗ＝ＰｅａｋＬｕｍ＿１は表示レンジの最大データ輝度ＨＲａｎｇｅに依存せずに固定であるため、輝度Ｌｗ＝ＰｅａｋＬｕｍ＿１のＯＯＴＦ処理も最大データ輝度ＨＲａｎｇｅに依存せずに固定である。そのため、クリップ処理と輝度Ｌｗ＝ＰｅａｋＬｕｍ＿１のＯＯＴＦ処理とが行われる場合に、必要以上に高い表示輝度で画像が表示されることがある。そして、低輝度側から中間輝度までのデータ輝度レンジに対応する画像エリアが必要以上に高い表示輝度で表示されることがあり、表示画像のコントラスト感が低下することがある。例えば、対応関係１００２では、最大データ輝度ＨＲａｎｇｅ＝５００％の場合の表示輝度が、最大データ輝度ＨＲａｎｇｅ＝１０００％の場合の表示輝度に比べ非常に高い。そのため、最大データ輝度ＨＲａｎｇｅ＝５００％の場合に、必要以上に高い表示輝度で画像が表示される。
【００４６】
輝度Ｌｗ＝ＰｅａｋＬｕｍ＿２のＯＯＴＦ処理が行われる場合の対応関係１００３（本実施例）について説明する。本実施例では、輝度Ｌｗ＝ＰｅａｋＬｕｍ＿２は表示レンジの最大データ輝度ＨＲａｎｇｅに依存して変化するため、輝度Ｌｗ＝ＰｅａｋＬｕｍ＿２のＯＯＴＦ処理も最大データ輝度ＨＲａｎｇｅに依存して変化する。これにより、クリップ処理と輝度Ｌｗ＝ＰｅａｋＬｕｍ＿２のＯＯＴＦ処理とが行われる場合にも、必要以上に高い表示輝度で画像が表示されることを抑制できる。そして、低輝度側から中間輝度までのデータ輝度レンジに対応する画像エリアが必要以上に高い表示輝度で表示されることを抑制でき、表示画像のコントラスト感が低下することを抑制できる。例えば、対応関係１００３では、最大データ輝度ＨＲａｎｇｅ＝５００％の場合の表示輝度が、最大データ輝度ＨＲａｎｇｅ＝１０００％の場合の表示輝度と同等である。そのため、最大データ輝度ＨＲａｎｇｅ＝５００％の場合に、必要以上に高い表示輝度で画像が表示されず、好適な表示輝度で画像が表示される。
【００４７】
以上述べたように、本実施例によれば、ＯＯＴＦ処理において、データ輝度の低下量が、表示レンジの最大データ輝度ＨＲａｎｇｅなどに基づいて制御される。これにより、クリップ処理とＯＯＴＦ処理が行われる場合にも高画質な表示画像を得ることができる。
【００４８】
なお、本実施例では、ＨＤＲの方式がＨＬＧ方式であり、入力画像データの最大データ輝度ＤＲａｎｇｅに対応する輝度ＰｅａｋＬｕｍ＿２に基づくＯＯＴＦ処理が行われる例を説明したが、これに限られない。例えば、輝度ＰｅａｋＬｕｍ＿２は決定されなくてもよい。表示レンジに含まれるように任意に設定されたデータ輝度Ｌａに対応する、ＯＯＴＦ処理が省略される場合の表示輝度Ｌｂに基づくＯＯＴＦ処理が行われてもよい。具体的には、表示輝度Ｌｂが高いほど大きい低下量でレンジ変換画像データのデータ輝度が低減されてもよい。その場合には、例えば、輝度Ｌｗ＝Ｌｂ×ＤＲａｎｇｅ÷ＨＲａｎｇｅを用いて式４のガンマ値γを得ればよい。図６には、表示レンジがデータ輝度０％以上かつデータ輝度５００％以下のデータ輝度レンジである場合のデータ輝度Ｌａと表示輝度Ｌｂの一例が示されている。
【００４９】
任意に設定されたデータ輝度Ｌｂは、「任意に設定された階調値に対応するデータ輝度」とも言える。階調値として、入力画像データまたは線形画像データの階調値が設定される。線形画像データの階調値ＩｎｐｕｔＬｅｖｅｌ＿３が設定され場合には、式２を用いて、レンジ変換画像データの階調値ＯｕｔｐｕｔＬｅｖｅｌ＿３が得られる。そして、以下の式６を用いて、輝度Ｌｂが算出される。
Ｌｂ＝ＯｕｔｐｕｔＬｅｖｅｌ＿３÷１０２３×ＰｅａｋＬｕｍ＿１  ・・・（式６）
【００５０】
なお、表示部１０２は、ＯＯＴＦ処理で使用されるパラメータ（ガンマ値γなど）を画面に表示してもよい。例えば、表示部１０２は、ガンマ値γを示すＯＳＤ（Ｏｎ  Ｓｃｒｅｅｎ  Ｄｉｓｐｌａｙ）画像を画面に表示してもよい。これにより、ユーザは、ＯＯＴＦ処理で使用されるパラメータを容易に把握できる。同様に、表示部１０２は、表示レンジを画面に表示してもよい。これにより、ユーザは、表示レンジを容易に把握できる。表示部１０２は、ＯＯＴＦ処理の変換特性を画面に表示してもよい。これにより、ユーザは、ＯＯＴＦ処理の変換特性を容易に把握できる。複数の情報（ガンマ値γ、表示レンジ、ＯＯＴＦ処理の変換特性、等）が画面に表示されれば、ユーザは、複数の情報の間の対応関係を容易に把握できる。
【００５１】
なお、表示装置１００は、ＯＯＴＦ処理で使用されるパラメータを外部へ出力してもよい。例えば、表示装置１００は、ガンマ値γをファイルデータとして外部へ出力してもよい。これにより、ＯＯＴＦ処理で使用されるパラメータが後工程でも使用でき、表示装置１００での表示を後工程で容易に再現できる。
【００５２】
＜実施例２＞
以下、本発明の実施例２について説明する。実施例１ではＨＬＧ方式の例を説明したが、本実施例ではＩＴＵ−Ｒ  ＢＴ．２１００で規定されたＰＱ（Ｐｅｒｃｅｐｔｕａｌ  Ｑｕａｎｔｉｚｅｒ）方式の例を説明する。なお、以下では、実施例１と異なる点（構成、処理、等）について詳しく説明し、実施例１と同じ点についての説明は省略する。
【００５３】
図１１は、ＰＱ方式における光変換の一例を示す。図１１に示すように、ＰＱ方式では、シーン輝度が表示輝度に変換される（ＯＯＴＦ処理）。次に、表示輝度が階調値に変換される（Ｉｎｖｅｒｓｅ  ＥＯＴＦ（Ｅｌｅｃｔｒｏ−Ｏｐｔｉｃａｌ  Ｔｒａｎｓｆｅｒ  Ｆｕｎｃｔｉｏｎ）処理）。そして、階調値が表示輝度に戻される（ＥＯＴＦ処理）。ＯＯＴＦ処理とＩｎｖｅｒｓｅ  ＥＯＴＦ処理は撮像装置で行われ、ＥＯＴＦ処理は表示装置で行われる。即ち、本実施例では、撮像装置でＯＯＴＦ処理が行われる。
【００５４】
図１２は、本実施例に係る表示システム２００の構成例を示すブロック図である。図１２において、実施例１（図２）と同じ機能部には、実施例１と同じ符号が付されている。表示システム２００は、撮像装置２１０と表示装置２２０を有する。撮像装置２１０は、撮像部２１１、ＯＯＴＦ変換部２１２、及び、ガンマ変換部２１３を有する。表示装置２２０は、画像処理部２２１、表示部１０２、ダイナミックレンジ取得部１０３、及び、表示レンジ取得部１０４を有する。画像処理部２２１は、線形変換部１０５とレンジ変換部１０６を有する。
【００５５】
撮像部２１１は、被写体光を撮影画像データ（電気信号）に変換する（撮像）。撮像部２１１として、例えば、ＣＣＤ（Ｃｈａｒｇｅ−Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサ、等のイメージセンサを使用できる。撮影画像データは、「撮像装置２１０の入力画像データ」とも言える。
【００５６】
ＯＯＴＦ変換部２１２は、表示装置２２０から、ダイナミックレンジ情報、表示レンジ情報、及び、表示輝度情報を取得する。具体的には、ＯＯＴＦ変換部２１２は、表示装置２２０から、最大データ輝度ＤＲａｎｇｅ，ＨＲａｎｇｅと上限表示輝度ＰｅａｋＬｕｍ＿１とを取得する。表示装置２２０の入力画像データのダイナミックレンジは、撮影画像データのダイナミックレンジと等しい。そのため、表示装置２２０の入力画像データのダ
イナミックレンジに関するダイナミックレンジ情報は、撮影画像データのダイナミックレンジに関する情報でもある。
【００５７】
そして、ＯＯＴＦ変換部２１２は、実施例１のＯＯＴＦ変換部１０７のＯＯＴＦ処理と同様のＯＯＴＦ処理を、撮像部２１１によって生成された撮影画像データに施す。それにより、光変換画像データが生成される。本実施例のＯＯＴＦ処理は、撮影画像データのデータ輝度を変換する画像処理（階調変換処理）である。
【００５８】
なお、表示装置２２０でガンマ値γが生成され、ＯＯＴＦ変換部２１２が表示装置２２０からガンマ値γを取得してもよい。また、ダイナミックレンジ情報、表示レンジ情報、表示輝度情報、ガンマ値γ、等は、表示装置２２０から撮像装置２１０へ無線で伝送されてもよいし、表示装置２２０から撮像装置２１０へ有線で伝送されてもよい。伝送規格として、例えば、ＨＤＭＩ（Ｈｉｓｈ−Ｄｅｆｉｎｉｔｉｏｎ  ＭｕｌｔｉｍｅｄｉａＩｎｔｅｒｆａｃ）、ＵＳＢ（Ｕｎｉｖｅｒｓａｌ  Ｓｅｒｉａｌ  Ｂｕｓ）、等を使用できる。
【００５９】
ガンマ変換部２１３は、ＯＯＴＦ変換部２１２によって生成された光変換画像データに対してガンマ変換処理を施すことにより、出力画像データを生成する。本実施例では、出力画像データとして、ＰＱ方式の階調特性を有するＰＱ画像データが生成される。ガンマ変換部２１３のガンマ変換処理は、図１１のＩｎｖｅｒｓｅ  ＥＯＴＦ処理に対応する。なお、Ｉｎｖｅｒｓｅ  ＥＯＴＦ処理はガンマ変換処理に限られない。例えば、Ｉｎｖｅｒｓｅ  ＥＯＴＦ処理は、ガンマ変換処理とは異なる階調変換処理であってもよい。
【００６０】
そして、ガンマ変換部２１３は、ＰＱ画像データを表示装置２２０へ出力する。なお、ＰＱ画像データは、表示装置２２０から撮像装置２１０へ無線で伝送されてもよいし、表示装置２２０から撮像装置２１０へ有線で伝送されてもよい。伝送規格として、例えば、ＨＤＭＩ、ＵＳＢ、等を使用できる。
【００６１】
画像処理部２２１は、線形変換部１０５の線形変換処理とレンジ変換部１０６のレンジ変換処理とにより、ガンマ変換部２１３によって生成されたＰＱ画像データを表示画像データに変換する。そして、画像処理部２２１は、表示画像データを表示部１０２へ出力する。本実施例では、線形変換処理は、図１１のＥＯＴＦ処理に対応する。
【００６２】
以上述べたように、本実施例によれば、表示装置とは異なる画像処理装置（具体的には撮像装置）において、実施例１のＯＯＴＦ処理と同様のＯＯＴＦ処理が行われる。そのため、表示装置とは異なる画像処理装置でＯＯＴＦ処理が行われる場合において、実施例１と同様の効果を得ることができる。本実施例では、ＯＯＴＦ処理の後にクリップ処理が行われ得るが、そのような場合にも、実施例１の作用と同様の作用により、高画質な表示画像を得ることができる。
【００６３】
なお、実施例１，２で述べた各種の階調変換処理（線形変換処理、レンジ変換処理、ＯＯＴＦ処理、等）は、数式を用いた処理であってもよいし、テーブルを用いた処理であってもよい。
【００６４】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして
、装置が有する少なくとも一部の機能部の機能が、プロセッサがメモリから制御プログラムを読み出して実行することにより実現されてもよい。
【００６５】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００６６】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６７】
１００，２２０：表示装置  １０１，２２１：画像処理部  １０２：表示部
１０３：ダイナミックレンジ取得部  １０４：表示レンジ取得部
１０５：線形変換部  １０６：レンジ変換部  １０７，２１２：ＯＯＴＦ変換部
２００：表示システム  ２１０：撮像装置  ２１１：撮像部  ２１３：ガンマ変換部
【図１】
2019080156.tif 000003
【図２】
2019080156.tif 000004
【図３】
2019080156.tif 000005
【図４】
2019080156.tif 000006
【図５】
2019080156.tif 000007
【図６】
2019080156.tif 000008
【図７】
2019080156.tif 000009
【図８】
2019080156.tif 000010
【図９】
2019080156.tif 000011
【図１０】
2019080156.tif 000012
【図１１】
2019080156.tif 000013
【図１２】
2019080156.tif 000014